(57)【要約】      （修正有）【課題】歪センサ素子のリニアリティを高めることで測定精度を向上できる歪センサユニットを提供する。【解決手段】歪センサユニット１は、長手方向に伸縮する糸状又は帯状の歪センサ素子１２と、糸状又は帯状の歪センサ素子１２の伸長に対応して変形可能であり、糸状又は帯状の歪センサ素子１２の使用状態における伸長量の初期値を定める伸長量測定部１３とを備える。【選択図】図１
2020153932.tif 000002
【特許請求の範囲】
【請求項１】
長手方向に伸縮する糸状又は帯状の歪センサ素子と、
前記歪センサ素子の使用状態における伸長量の初期値を定める伸長量測定部と
を備える歪センサユニット。
【請求項２】
前記伸長量測定部が可撓性部材である請求項１に記載の歪センサユニット。
【請求項３】
前記伸長量測定部が変形前の状態で折りたたまれている請求項１又は請求項２に記載の歪みセンサユニット。
【請求項４】
前記伸長量測定部が伸縮性を有する請求項１、請求項２又は請求項３に記載の歪センサユニット。
【請求項５】
前記伸長量測定部が前記歪センサ素子の延在方向の両端部に接続される請求項１から請求項４のいずれか１項に記載の歪センサユニット。
【請求項６】
前記伸長量測定部が前記歪センサ素子に着脱可能に構成される請求項１から請求項５のいずれか１項に記載の歪センサユニット。
【請求項７】
長手方向に伸縮する糸状又は帯状の歪センサ素子の伸長に対応して変形可能であり、前記歪センサ素子の使用状態における伸長量の初期値を定める伸長量測定部材。
【発明の詳細な説明】
【技術分野】
【０００１】
本発明は、歪センサユニット及び伸長量測定部材に関する。
【背景技術】
【０００２】
人や動物等の測定対象の動きをセンサによって検出して数値データ化する多様な試みがなされている。
【０００３】
これらの測定対象の動きを検出する装置として、本出願人は長手方向の伸縮を検出する糸状又は帯状の歪センサ素子を用いた歪センサユニットを出願している（特開２０１７−２１１２１５号公報参照）。
【先行技術文献】
【特許文献】
【０００４】
【特許文献１】特開２０１７−２１１２１５号公報
【発明の概要】
【発明が解決しようとする課題】
【０００５】
前記公報に記載の歪センサユニットは、糸状又は帯状の歪センサ素子と、この歪センサ素子の両端部に積層される一対の粘着シートとを備える。この歪センサユニットは、一対の粘着シートを測定対象に貼着することで、歪センサ素子の位置ずれを抑制し、測定対象部位の動きを比較的正確に測定することができる。
【０００６】
一方、本発明者等が鋭意検討したところ、歪センサ素子は、一定程度伸長させた状態で測定対象に固定し、リニアリティを高めることで、測定精度を高めることができることが分かった。また、歪センサ素子をどの程度伸長させるべきかについては、使用目的や測定対象等に応じて予め定めておく方がよい場合があることが分かった。
【０００７】
本発明は、このような事情に基づいてなされたものであり、本発明の課題は、歪センサ素子のリニアリティを高めることで測定精度を向上可能な歪センサユニット及び伸長量測定部材を提供することにある。
【課題を解決するための手段】
【０００８】
前記課題を解決するためになされた本発明の一態様に係る歪センサユニットは、長手方向に伸縮する糸状又は帯状の歪センサ素子と、前記歪センサ素子の使用状態における伸長量の初期値を定める伸長量測定部とを備える。
【０００９】
前記伸長量測定部が可撓性部材であるとよい。
【００１０】
前記伸長量測定部が変形前の状態で折りたたまれているとよい。
【００１１】
前記伸長量測定部が伸縮性を有するとよい。
【００１２】
前記伸長量測定部が前記歪センサ素子の延在方向の両端部に接続されるとよい。
【００１３】
前記伸長量測定部が前記歪センサ素子に着脱可能に構成されるとよい。
【００１４】
前記課題を解決するためになされた本発明の他の一態様に係る伸長量測定部材は、長手方向に伸縮する糸状又は帯状の歪センサ素子の伸長に対応して変形可能であり、前記歪センサ素子の使用状態における伸長量の初期値を定める。
【発明の効果】
【００１５】
本発明の一態様に係る歪センサユニットは、歪センサ素子の使用状態における伸長量の初期値を定める伸長量測定部を備えるので、前記歪センサ素子のリニアリティを高めることで測定精度を向上することができる。また、本発明の他の一態様に係る伸長量測定部材は、歪センサ素子のリニアリティを高めることでこの歪センサ素子の測定精度を向上することができる。
【図面の簡単な説明】
【００１６】
【図１】図１は、本発明の一実施形態に係る歪センサユニットを示す模式的側面図である。
【図２】図２は、図１の歪センサユニットの模式的平面図である。
【図３】図３は、図１の歪センサユニットから伸長量測定部材を取り外した状態を示す模式的側面図である。
【図４】図４は、図１の歪センサユニットの測定対象への取付け状態を示す模式的側面図である。
【図５】図５は、図３の伸長量測定部材とは異なる実施形態に係る伸長量測定部材を示す模式的側面図である。
【図６】図６は、図５の伸長量測定部材を取り付けた歪センサユニットの測定対象への取付け状態を示す模式的側面図である。
【図７】図７は、図３及び図５の伸長量測定部材とは異なる実施形態に係る伸長量測定部材を示す模式的背面図（下面図）である。
【図８】図８は、図７の伸長量測定部材を備える歪センサユニットの測定対象への取付け状態を示す模式的側面図である。
【図９】図９は、図３、図５及び図７の伸長量測定部材とは異なる実施形態に係る伸長量測定部材を示す模式的背面図（下面図）である。
【発明を実施するための形態】
【００１７】
以下、適宜図面を参照しつつ、本発明の実施の形態を詳説する。
【００１８】
［第一実施形態］
＜歪センサユニット＞
図１〜図４の歪センサユニット１は、長手方向に伸縮する糸状又は帯状の歪センサ素子１２（図１〜図４では糸状を図示）と、歪センサ素子１２の使用状態における伸長量の初期値を定める伸長量測定部１３とを備える。伸長量測定部１３は、歪センサ素子１２の伸長に対応して変形可能に構成される。また、当該歪センサユニット１は、歪センサ素子１２を伸長状態で測定対象に取付け可能な取付け部１４と、伸長量測定部１３と歪センサ素子１２とを接続する一対の接続部１５とを備える。伸長量測定部１３及び一対の接続部１５は、それ自体本発明の一態様である伸長量測定部材２を構成している。なお、歪センサ素子の「帯状」とは、厚さに対して幅の大きい長尺状を意味し、厚さ及び幅が部分的に相違する構成を含む。「使用状態における伸長量の初期値」とは、測定対象に取り付けられた状態における測定対象の基準状態に対応する伸長量を意味する。
【００１９】
当該歪センサユニット１は、歪センサ素子１２の両端側の抵抗値を検出回路（不図示）によって測定することで、測定対象部位の動作に応じて変化する測定対象部位の表面（例えば皮膚）の長さの増減を測定可能に構成されている。
【００２０】
（歪センサ素子）
歪センサ素子１２は、全体として１方向に延在するよう測定対象に取り付けられる。歪センサ素子１２は、延在方向の両端部で測定対象に固定される。歪センサ素子１２は、伸縮性を有し、伸縮に応じて電気的特性が変化するものであればよく、伸縮により電気抵抗が変化する歪抵抗素子が好適に用いられる。中でも、歪センサ素子１２としては、カーボンナノチューブ（以下、「ＣＮＴ」ともいう）を用いたＣＮＴ歪センサが特に好適に用いられる。
【００２１】
歪センサ素子１２が糸状である場合、この歪センサ素子１２は、ＣＮＴ束を含んで構成される。このＣＮＴ束は、複数のＣＮＴ（単繊維）をＣＮＴ素子の長手方向に概略配向した繊維束であり、樹脂によって被覆される。糸状の歪センサ素子１２は、径方向の中心から外側に向けて、ＣＮＴ束からなる導電部と、ＣＮＴ繊維と樹脂とが複合された導電層と、樹脂製の被覆膜とをこの順で有する。歪センサ素子１２は、中心のＣＮＴ束が断裂し、その断裂した間隔が変化をすることで抵抗変化を生じさせることができる。
【００２２】
一方、歪センサ素子１２が帯状である場合、この歪センサ素子１２は多数のＣＮＴ繊維を含む樹脂組成物から構成される。具体的には、歪センサ素子１２は、複数のＣＮＴ（単繊維）をＣＮＴ素子１２の長手方向に概略配向した複数の繊維束のシートと、これらの繊維束のシートを被覆する樹脂とを有する。この歪センサ素子１２は、伸長歪が加えられた場合、内部のＣＮＴ繊維が切断してＣＮＴの端部が離間したり、伸長歪みが緩和されて再接触したりして抵抗値に変化を生じる。
【００２３】
前記ＣＮＴとしては、単層のシングルウォールナノチューブ（ＳＷＮＴ）や、多層のマルチウォールナノチューブ（ＭＷＮＴ）のいずれも用いることができる。中でも、導電性及び熱容量等の点から、ＭＷＮＴが好ましく、直径１．５ｎｍ以上１００ｎｍ以下のＭＷＮＴがさらに好ましい。
【００２４】
前記ＣＮＴは、公知の方法で製造することができ、例えばＣＶＤ法、アーク法、レーザーアブレーション法、ＤＩＰＳ法、ＣｏＭｏＣＡＴ法等により製造することができる。中でも、所望するサイズのＣＮＴ（ＭＷＮＴ）を効率的に得ることができる点から、鉄を触媒とし、エチレンガスを用いたＣＶＤ法により製造することが好ましい。この場合、石英ガラス基板や酸化膜付きシリコン基板等の基板に、触媒となる鉄又はニッケル薄膜を成膜した上に、垂直配向して成長した所望の長さのＣＮＴの結晶を得ることができる。
【００２５】
（取付け部）
取付け部１４は、歪センサ素子１２の両端部に取り付けられ、歪センサ素子１２を伸長状態で支持可能な一対の支持部１４ａと、一対の支持部１４ａに接続され、歪センサ素子１２を伸長状態で測定対象に固定可能な一対の保持部１４ｂとを有する。
【００２６】
支持部１４ａは、軸方向が歪センサ素子１２の延在方向と直交する柱状である。支持部１４ａは、歪センサ素子１２を伸長状態で支持できるよう剛性を有する。支持部１４ａは導電性を有する金属からなり、歪みセンサ素子１２と電気的に接続される。支持部１４ａは、歪センサ素子１２の検出信号を電気的に取り出すための端子として機能させることができる。なお、「歪センサ素子の延在方向」とは、使用状態における歪センサ素子の張設方向をいう。
【００２７】
保持部１４ｂは、支持部１４ａに接続され、この支持部１４ａを下方側（測定対象と接続される側）から支持する基台部１４ｃと、基台部１４ｃの周囲に接続され、歪センサ素子１２を伸長状態で測定対象に固定する固定部１４ｄとを有する。基台部１４ｃは、板状又はシート状であり、その平面形状は適宜調整可能であるが、貼付しやすさから円板状が好ましい。図３に示すように、支持部１４ａは基台部１４ｃの上面から垂直方向に突出するように接合されている。固定部１４ｄは好ましくは一面に粘着層を有する可撓性を有するシートからなる。固定部１４ｄは、測定対象と粘着層とが対向するよう基台部１４ｃの上面を被覆する。固定部１４ｄは、基台部１４ｃの周囲に接合すると共に測定対象にも接合される。また、歪みセンサ素子１２は支持部１４ａと共に基台部１４ｃに支持されてもよい。この場合、固定部１４ｄは、測定対象と粘着層とが対向するよう基台部１４ｃと共に歪センサ素子１２を上方から被覆してもよい。固定部１４ｄは平面視でリング状であってもよく、図２に示すようにＣ型やＵ型、又はリングの一部切断がされたものでもよい。固定部１４ｄは可撓性を有すると基台部１４ｃ及び測定対象への貼付性が向上するので好ましい。なお、本明細書において、「下」とは測定対象と対向する側をいい、「上」とはその反対側をいう。
【００２８】
（伸長量測定部）
伸長量測定部１３は、歪センサ素子１２の伸長に対応して伸長する。伸長量測定部１３は可撓性部材である。伸長量測定部１３は紐状であるとよい。伸長量測定部１３は、両端部は幅が大きく、中央部は幅が小さくなっている。伸長量測定部１３の長手方向長さは、歪センサ素子１２の使用状態における初期長さ（基準長さ）に対応して定められる。なお、伸長量測定部の「紐状」とは、細長状で可撓性を有するものを意味する。この「紐状」とは、複数の糸状体を編成又は織成した網状（ニット状）、織物状、リボン状を含み、幅、厚さ等が部分的に変化したものであってもよい。
【００２９】
伸長量測定部１３は可撓性を有することで、歪センサ素子１２を伸長した際に容易に変形し、歪センサ素子１２の使用状態における伸長量の初期値を容易に定めることができる。特に、伸長量測定部１３は、紐状であることによって前記初期値を定めやすい。詳しく説明すると、当該歪センサユニット１は、伸長量測定部１３の長さを予め歪センサ素子１２の使用状態における初期長さに対応して形成しておく。すなわち、伸長量測定部１３は歪センサ素子１２よりも長く、歪センサ素子１２を伸長していない状態では、伸長量測定部１３は弛んでいる。そして、伸長量測定部１３が直線状になるまで歪センサ素子１２を伸長することで、歪センサ素子１２を伸長量の初期値まで伸長した状態で測定対象に容易に固定することができる。また、弛んでいる伸長量測定部１３が直線状になるまで歪みセンサ素子１２を伸長するので、目視で確認しやすい。すなわち、伸長量測定部１３は、可撓性を有し、歪センサ素子１２を伸長に対応して変形し、歪センサ素子１２の使用状態における伸長量の初期値のところで直線化する。
【００３０】
伸長量測定部１３は、伸縮性を有することが好ましい。この場合、伸長量測定部１３は、例えば合成樹脂、エラストマー等を主成分として構成することができる。この構成によると、伸長量測定部１３は、歪センサ素子１２を測定対象に固定した状態でさらに伸長可能となる。伸長量測定部１３は中央部の幅を小さくすることで、より剛性を小さくすることができる。これにより、当該歪センサユニット１は、歪センサ素子１２の使用状態における伸長量の初期値を定めた後に、伸長量測定部１３をそのまま歪センサ素子１２に取り付けたままでも伸長量測定部１３が歪センサ素子１２の伸縮の妨げとなり難い。従って、当該歪センサユニット１は、使用に際して伸長量測定部１３を取り外すことを要しないので、取扱性を高めることができる。
【００３１】
伸長量測定部１３の剛性は、歪センサ素子１２の剛性と同じかそれ以上であることが好ましい。歪センサユニット１を手で伸長した際に、伸長量測定部１３が直線状になった時に目視だけでなく指の感覚で感じることができる。伸長量測定部１３は弾性体であるので、伸長されたままで、測定対象物の測定をすることができる。
【００３２】
歪センサ素子１２と伸長量測定部１３とは、支持部１４ａによって距離を空けて支持される。すなわち、当該歪センサユニット１は、歪センサ素子１２の伸縮領域と伸長量測定部１３との間に空間を有する。そうすることで、それぞれが独立して動くことができ、伸長量測定部１３が直線状になっているかどうかを目視で容易に確認できる。なお、「歪センサ素子の伸縮領域」とは、歪センサ素子の測定対象部位の動作に応じて伸縮可能な領域をいう。すなわち、本実施形態では、取付け部１４に取り付けられる両端部間の領域をいう。
【００３３】
＜伸長量測定部材＞
伸長量測定部材２は、長手方向に伸縮する歪センサ素子１２の伸長に対応して変形可能である。伸長量測定部材２は、歪センサ素子１２の使用状態における伸長量の初期値を定める。
【００３４】
伸長量測定部材２は、歪センサ素子１２の延在方向の両端部に一対の接続部１５を有する。これにより、伸長量測定部１３は、一対の支持部１４ａ及び一対の接続部１５を介して長手方向の両端部で歪センサ素子１２の延在方向の両端部に接続されている。当該歪センサユニット１は、伸長量測定部１３が歪センサ素子１２の延在方向の両端部に接続されることで、歪センサ素子１２の伸長量を正確に測定することができる。
【００３５】
一対の接続部１５と一対の支持部１４ａとは、スナップボタンの雄雌構造によって着脱可能に構成することが可能である。これにより、当該歪センサユニット１は、伸長量測定部１３を歪センサ素子１２に着脱可能に構成することができる。
【００３６】
当該歪センサユニット１は、歪センサ素子１２の伸長量の初期値を定める際にのみ伸長量測定部材２を取り付けておいてもよい。この構成によると、１つの伸長量測定部１３を複数の歪センサユニット１に兼用で使用することが可能であり、伸長量測定部１３の数を減らすことができる。また、この構成によると、例えば当該歪センサユニット１の使用時に伸長量測定部１３を取り外しておくことで、伸長量測定部１３が使用者の動作に与える影響を排除することができ、より高精度な測定が可能となる。また、伸長量測定部１３が伸縮しない部材である場合でも、取り外すことで高度な測定が可能となる。
【００３７】
当該歪センサユニット１を測定対象に取り付ける場合、まず歪センサ素子１２を延在方向の両側に伸長する。歪センサ素子１２を延在方向の両側に伸長することで、この歪センサ素子１２の伸長に対応して伸長量測定部１３が変形する。次に、図４に示すように、伸長量測定部１３を弛みがなくなるまで変形した状態で一対の固定部１４ｄを測定対象Ｘに貼り付け、歪センサ素子１２を所定の伸長状態で測定対象Ｘに固定する。
【００３８】
＜利点＞
当該歪センサユニット１は、伸長量測定部１３が歪センサ素子１２の伸長に対応して変形することで、歪センサ素子１２の使用状態における伸長量の初期値を定めることができる。また、歪センサ素子１２のリニアリティの高くなるところまで歪みセンサ素子１２を伸長して測定することができるので、測定精度を向上することができる。
【００３９】
当該伸長量測定部材２は、歪センサ素子１２のリニアリティを高めることで歪センサ素子１２の測定精度を高めることができる。
【００４０】
［第二実施形態］
＜伸長量測定部材＞
図５の伸長量測定部材２２は、図３の伸長量測定部材２に替えて用いられ得る。当該伸長量測定部材２２は、長手方向に伸縮する糸状又は帯状の歪センサ素子１２の伸長に対応して変形可能であり、図６に示すように、歪センサ素子１２の使用状態における伸長量の初期値を定める。当該伸長量測定部材２２は、伸長量測定部２３と一対の接続部１５とを備える。一対の接続部１５としては、図３の伸長量測定部材２の一対の接続部１５と同様のため、同一符号を付して説明を省略する。
【００４１】
伸長量測定部２３は、図１の伸長量測定部１３に替えて用いられる。伸長量測定部２３は、歪センサ素子１２の使用状態における伸長量の初期値を定める。伸長量測定部２３は、歪センサ素子１２の伸長に対応して変形可能に構成される。伸長量測定部２３は可撓性部材である。伸長量測定部２３は紐状であるとよい。伸長量測定部２３は、歪センサ素子１２の延在方向の両端部に接続される。
【００４２】
伸長量測定部２３は、短冊状であり、変形前の状態（歪センサ素子１２の使用状態における伸長量の初期値を定める前の状態）で折りたたまれている。伸長量測定部２３の長手方向長さは、歪センサ素子１２の使用状態における初期長さ（基準長さ）に対応して定められる。伸長量測定部２３は、長手方向の所定位置に複数の折り目２３ａを有しており、１又は複数の所望の折り目２３ａを折り曲げた状態で保持することで（つまり、折り曲げる折り目２３ａの個数を増減することで）全体の長さを段階的に変更可能に構成されている。伸長量測定部２３は、１又は複数の所望の折り目２３ａを折り曲げた状態で保持することで歪センサ素子１２の使用状態における初期長さを測定対象に応じた長さに調節できるよう構成されている。
【００４３】
＜歪センサユニット＞
図６の歪センサユニット２１は、長手方向に伸縮する糸状又は帯状の歪センサ素子１２と、歪センサ素子１２の使用状態における伸長量の初期値を定める伸長量測定部２３とを備える。伸長量測定部２３は、歪センサ素子１２の伸長に対応して変形可能に構成される。また、当該歪センサユニット２１は、歪センサ素子１２を伸長状態で測定対象に取付け可能な取付け部１４と、伸長量測定部２３と歪センサ素子１２とを接続する一対の接続部１５とを備える。当該歪センサユニット２１は、図１の伸長量測定部１３に替えて伸長量測定部２３を用いている以外、図１の歪センサユニット１と同様の構成とすることができる。当該歪センサユニット２１は、歪センサ素子１２を伸長した際に、伸長量測定部２３が変形して伸長量を測定することができる。
【００４４】
＜利点＞
当該歪センサユニット２１は、伸長量測定部２３が全体の長さを段階的に変更可能に構成されているので、測定部位等に応じて歪センサ素子１２の使用状態における伸長量の初期値を調節することができる。
【００４５】
当該伸長量測定部材２２は、歪センサ素子１２の使用状態における伸長量の初期値を調節することができる。
【００４６】
当該伸長量測定部材２２は、歪センサ素子１２に着脱可能に構成され、かつ伸長量測定部２３に複数の折り目２３ａを設けておくことで、複数種の歪センサユニット２１に使用することができる。
【００４７】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００４８】
例えば伸長量測定部の具体的構成は前述の実施形態に記載の構成に限定されるものではない。図７〜図９を参照して、他の態様に係る伸長量測定部及びこの伸長量測定部を備える伸長量測定部材について説明する。
【００４９】
図７の伸長量測定部材３２は、図１の歪センサユニット１の一対の固定部１４ｄと、これらの固定部１４ｄ間に架け渡される伸長量測定部３３とを備える。固定部１４ｄと伸長量測定部３３は一体となっている。伸長量測定部３３及び固定部１４ｄは、両面に剥離紙のある両面テープの剥離紙及び粘着層をパターニングして作られる。具体的には、一対の固定部１４ｄが前記粘着層によって構成され、伸長量測定部３３が粘着層同士を接続する剥離紙によって構成される。伸長量測定部３３は帯状である。伸長量測定部３３の長手方向長さは、歪センサ素子１２の使用状態における初期長さ（基準長さ）に対応して定められる。
【００５０】
図８を参照して、この伸長量測定部材３２を備える歪センサユニット３１の使用手順について説明する。当該歪センサユニット３１を測定対象Ｘに取り付ける場合、まず歪センサ素子１２を延在方向の両側に伸長する。歪センサ素子１２を延在方向の両側に伸長することで、この歪センサ素子１２の伸長に対応して伸長量測定部３３が変形する。次に、伸長量測定部３３を弛みがなくなるまで変形した状態で一対の固定部１４ｄを測定対象Ｘに貼り付ける。伸長量測定部３３の変形後の状態では伸長量測定部３３と歪センサ素子１２は接触することもあるがそれぞれは独立して変形することができる。変形前又は変形途中では伸長量測定部３３と歪センサ素子１２の間に空間を有する。さらに、一対の固定部１４ｄの貼り付け後に伸長量測定部３３を剥離してもよい。これにより、歪センサ素子１２を所定の伸長状態、かつ伸縮可能な状態で測定対象Ｘに固定できる。
【００５１】
図９の伸長量測定部材４２は、伸縮性を有する帯状の取付け部４５と、取付け部４５の下面に設けられる伸長量測定部４３とを備える。伸長量測定部４３は、歪センサ素子の両端部に設けられる一対の電極と接続される一対の電極接続部４３ａとして構成されている。一対の電極接続部４３ａ同士の間隔は、歪センサ素子の使用状態における初期長さ（基準長さ）に対応して定められる。当該伸長量測定部材４２は、一対の電極接続部４３ａと接続される位置まで歪センサ素子の一対の電極を引き伸ばすことで、歪センサ素子の使用状態における伸長量の初期値を定めることができる。当該伸長量測定部材４２によると、歪センサ素子を測定対象に容易かつ確実に固定することができる。また、当該伸長量測定部材４２は、歪センサ素子を上面側から被覆することができるので、防水性等、歪センサ素子の保護機能に優れる。ここで伸長量測定部材４２は、歪センサ素子と重なる部分の粘着層を省いておいてもよい。そうすることで、伸長量測定部材４２は歪みセンサ素子と独立して変形することができる。伸長されていない又は伸長させる途中では伸長量測定部４２と歪センサ素子の間に空間を有する。
【００５２】
前記伸長量測定部としては、例えば伸長によって変色する糸状又は帯状のエラストマー、伸長によって網目の変化するメッシュ等、見た目の変化によって歪センサ素子の使用状態の伸長量の初期値を定めることが可能なものを用いることも可能である。さらに、前記伸長量測定部として、一定以上に伸長した場合に破断するものを用い、破断時の長さを歪センサ素子の使用状態の初期長さとして定めることも可能である。
【００５３】
伸長量測定部は蛇腹状であってもよい。また、伸長量測定部は上方から視認できる位置に配置される弛んだ糸でもよい。伸長量測定部が上方から視認できる位置に配置されることで、それが真っ直ぐ伸びたことを視覚的に確認ができ、また、最適なリニアリティである状態で測定することができる。
【産業上の利用可能性】
【００５４】
以上説明したように、本発明に係る歪センサユニットは、歪センサ素子のリニアリティを高めることで測定精度を向上することができるので、人の動作等を測定するのに適している。
【符号の説明】
【００５５】
１，２１，３１  歪センサユニット
２，２２，４２  伸長量測定部材
１２，３２  歪センサ素子
１３，２３，３３，４３  伸長量測定部
１４，４５  取付け部
１４ａ  支持部
１４ｂ  保持部
１４ｃ  基台部
１４ｄ  固定部
１５  接続部
２３ａ  折り目
４３ａ  電極接続部
Ｘ  測定対象
【図１】
2020153932.tif 000003
【図２】
2020153932.tif 000004
【図３】
2020153932.tif 000005
【図４】
2020153932.tif 000006
【図５】
2020153932.tif 000007
【図６】
2020153932.tif 000008
【図７】
2020153932.tif 000009
【図８】
2020153932.tif 000010
【図９】
2020153932.tif 000011